(57)【要約】【課題】この発明は、乗車料金を確実に収受できる自動改札機を提供することを課題とする。【解決手段】Ａ駅に設置された自動改札機で入場を禁止された場合、当該乗車券にＡ駅の入場記録を書き込む。これにより、Ｂ駅における精算時に、Ｂ駅の駅係員は、乗車券に書き込まれている入場記録に基づいて正規の乗車料金を確実に収受できる。【選択図】      図３
2007241390.tif 000002
【特許請求の範囲】
【請求項１】
鉄道の駅改札口に設置された自動改札機であって、
乗客が所持している乗車券からデータを読み取るとともに当該乗車券にデータを書き込む券処理部と、
乗客の通行を選択的に規制するためのゲートと、
上記券処理部で当該乗車券から読み取ったデータに基づいて当該乗客の通行の可否を判断して上記ゲート開閉制御するとともに、この判断の結果に関係なく当該乗車券に対して上記券処理部にて当駅の利用履歴を書き込む制御部と、
を有することを特徴とする自動改札機。
【請求項２】
上記制御部は、上記券処理部にて上記乗車券から読み取ったデータに基づいて当該乗客の通行不可を判断した場合、上記ゲートを閉じるとともに、上記券処理部にて当該乗車券に当駅の利用履歴を書き込むことを特徴とする請求項１に記載の自動改札機。
【請求項３】
鉄道の駅改札口に設置された自動改札機であって、
乗客によって投入された磁気乗車券から磁気データを読み取るとともに当該磁気乗車券に磁気データを書き込む磁気処理部と、
乗客の通行を選択的に規制するためのゲートと、
上記磁気処理部で当該磁気乗車券から読み取った磁気データに基づいて当該乗客の通行の可否を判断して上記ゲート開閉制御するとともに、この判断の結果に関係なく当該磁気乗車券に対して上記磁気処理部にて当駅の利用履歴を書き込む制御部と、
を有することを特徴とする自動改札機。
【請求項４】
上記制御部は、上記磁気処理部にて上記磁気乗車券から読み取った磁気データに基づいて当該乗客の通行不可を判断した場合、上記ゲートを閉じるとともに、上記磁気処理部にて当該磁気乗車券に当駅の利用履歴を書き込むことを特徴とする請求項３に記載の自動改札機。
【請求項５】
鉄道の駅改札口に設置された自動改札機であって、
乗客によって翳される無線ＩＣ乗車券との間で無線通信するためのアンテナと、
このアンテナを介して上記無線ＩＣ乗車券からデータを読み取るとともに当該無線ＩＣ乗車券にデータを書き込むリーダ・ライタと、
乗客の通行を選択的に規制するためのゲートと、
上記リーダ・ライタにより当該無線ＩＣ乗車券から読み取ったデータに基づいて当該乗客の通行の可否を判断して上記ゲートを開閉制御するとともに、この判断の結果に関係なく上記アンテナに翳された全ての無線ＩＣ乗車券に対して上記リーダ・ライタを介して当駅の利用履歴を書き込む制御部と、
を有することを特徴とする自動改札機。
【請求項６】
上記制御部は、上記リーダ・ライタを介して上記無線ＩＣ乗車券から読み取ったデータに基づいて当該乗客の通行不可を判断した場合、上記ゲートを閉じるとともに、上記リーダ・ライタを介して当該無線ＩＣ乗車券に当駅の利用履歴を書き込むことを特徴とする請求項５に記載の自動改札機。
【発明の詳細な説明】
【技術分野】
【０００１】
この発明は、鉄道の駅改札口に設置された自動改札機に関する。
【背景技術】
【０００２】
従来、自動改札機として、無人駅に設置され、必要に応じて乗車証明書を発券する自動改札機が知られている（例えば、特許文献１参照。）。この自動改札機は、乗車券を受け付けて総合判定異常となった場合に、当該乗客の通行を許可するとともに乗車駅の乗車証明書を発券する。これにより、総合判定異常となった乗客は、降車駅の係員に当該乗車証明書を提示することで、正規の乗車料金を支払うことができる。
【０００３】
しかし、乗客が不正に自動改札機を強行突破した場合、無人駅で正規の乗車券の購入手続が間に合わなかった場合、自動改札機が通行を検知できずに通過してしまった場合など、乗客が発券された乗車証明書を受け取らない場合には、降車駅で自動改札機の通行が拒否されて、駅係員による対応がなされることになるが、乗車駅の情報が無いために種々の問題が生じる。
【０００４】
つまり、この場合、降車駅の駅係員は、降車駅を含む社局の最も遠い駅からの乗車料金を乗客に請求することになり、乗客との間で乗車料金についてのトラブルを生じる場合がある。また、乗客の申告に基づいて乗車料金を精算する場合には、乗客が嘘をついて安い乗車区間を申告すると、鉄道会社にとって不利益を被ることになる。
【特許文献１】特開２００１−２０２５３９号公報
【発明の開示】
【発明が解決しようとする課題】
【０００５】
この発明の目的は、乗車料金を確実に収受できる自動改札機を提供することにある。
【課題を解決するための手段】
【０００６】
上記目的を達成するため、本発明の自動改札機は、鉄道の駅改札口に設置され、乗客が所持している乗車券からデータを読み取るとともに当該乗車券にデータを書き込む券処理部と、乗客の通行を選択的に規制するためのゲートと、上記券処理部で当該乗車券から読み取ったデータに基づいて当該乗客の通行の可否を判断して上記ゲート開閉制御するとともに、この判断の結果に関係なく当該乗車券に対して上記券処理部にて当駅の利用履歴を書き込む制御部と、を有する。
【０００７】
上記発明によると、当該自動改札機で処理した全ての乗車券に対して当該自動改札機が設置された駅（当駅）の利用履歴を書き込むようにしたため、当該自動改札機で通行不可と判断されたにも関わらずそのまま改札を通過した乗客が別の駅で降車する際、乗車駅の履歴を容易に判断でき、乗車料金を間違いなく確実に収受できる。
【０００８】
また、本発明の自動改札機は、鉄道の駅改札口に設置され、乗客によって投入された磁気乗車券から磁気データを読み取るとともに当該磁気乗車券に磁気データを書き込む磁気処理部と、乗客の通行を選択的に規制するためのゲートと、上記磁気処理部で当該磁気乗車券から読み取った磁気データに基づいて当該乗客の通行の可否を判断して上記ゲート開閉制御するとともに、この判断の結果に関係なく当該磁気乗車券に対して上記磁気処理部にて当駅の利用履歴を書き込む制御部と、を有する。
【０００９】
上記発明によると、当該自動改札機で処理した全ての磁気乗車券に対して当該自動改札機が設置された駅（当駅）の利用履歴を書き込むようにしたため、当該自動改札機で通行不可と判断されたにも関わらずそのまま改札を通過した乗客が別の駅で降車する際、乗車駅の履歴を容易に判断でき、乗車料金を間違いなく確実に収受できる。
【００１０】
さらに、本発明の自動改札機は、鉄道の駅改札口に設置され、乗客によって翳される無線ＩＣ乗車券との間で無線通信するためのアンテナと、このアンテナを介して上記無線ＩＣ乗車券からデータを読み取るとともに当該無線ＩＣ乗車券にデータを書き込むリーダ・ライタと、乗客の通行を選択的に規制するためのゲートと、上記リーダ・ライタにより当該無線ＩＣ乗車券から読み取ったデータに基づいて当該乗客の通行の可否を判断して上記ゲートを開閉制御するとともに、この判断の結果に関係なく上記アンテナに翳された全ての無線ＩＣ乗車券に対して上記リーダ・ライタを介して当駅の利用履歴を書き込む制御部と、を有する。
【００１１】
上記発明によると、当該自動改札機で処理した全ての無線ＩＣ乗車券に対して当該自動改札機が設置された駅（当駅）の利用履歴を書き込むようにしたため、当該自動改札機で通行不可と判断されたにも関わらずそのまま改札を通過した乗客が別の駅で降車する際、乗車駅の履歴を容易に判断でき、乗車料金を間違いなく確実に収受できる。
【発明の効果】
【００１２】
この発明の自動改札機は、上記のような構成および作用を有しているので、乗車料金を確実に収受できる。
【発明を実施するための最良の形態】
【００１３】
以下、図面を参照しながらこの発明の実施の形態について詳細に説明する。  
図１には、この発明の実施の形態に係る自動改札機１の構成ブロック図を示してある。自動改札機１は、その動作を制御する制御部１０を有する。
【００１４】
制御部１０には、乗客によって翳される無線ＩＣ乗車券Ｃ（例えば、Ｓｕｉｃａ）との間で無線通信するためのアンテナ２、このアンテナ２を介して無線ＩＣ乗車券に組み込まれた図示しないＬＳＩから非接触でデータを読み出すとともに当該ＬＳＩに対して非接触でデータを書き込むリーダ・ライタ３、図示しない投入口を介して投入されたパスネットやエドモンソン券などの磁気乗車券（図示せず）から磁気データを読み取るとともに当該磁気乗車券に対して磁気データを書き込む磁気処理部４、および投入された磁気乗車券の表面に文字情報を印字する印字部５が接続されている。
【００１５】
また、制御部１０には、当該自動改札機を通行する乗客を検知するセンサ６、および通行を禁止された乗客をセンサ６が検知したタイミングで当該乗客の通行を規制するためのゲート７が接続されている。さらに、制御部１０には、動作プログラム等を格納したＲＯＭ（図示せず）や各種データを一時的に保持するためのＲＡＭ（図示せず）が接続されている。なお、上述したリーダ・ライタ３、磁気処理部４、および印字部５は、この発明の券処理部として機能する。
【００１６】
しかして、鉄道を利用する乗客によって無線ＩＣ乗車券Ｃがアンテナ２に翳された場合、制御部１０は、リーダ・ライタ３によって当該無線ＩＣ乗車券Ｃからデータを読み出し、当該自動改札機１が設置された駅（当駅）改札の通行の可否を判断する。このとき、制御部１０は、無線ＩＣ乗車券Ｃから予めデポジットされた残高や定期券の有効期限などの情報を読み出して、残高不足や有効期限切れがないかを総合判断する。
【００１７】
そして、総合判断の結果、当該無線ＩＣ乗車券Ｃによる鉄道の利用が許可された場合、制御部１０は、当該無線ＩＣ乗車券Ｃに対して入場記録を書き込むとともに例えば残高から一定金額（初乗り運賃）差し引いた金額に書き換える。このとき、制御部１０は、ゲート７を閉じることなく当該乗客の通行を許可する。
【００１８】
一方、総合判断の結果、当該無線ＩＣ乗車券Ｃによる通行が禁止された場合、制御部１０は、センサ６で当該乗客を検知したことをトリガーとしてゲート７を閉じるとともに、当該無線ＩＣ乗車券Ｃに対して入場記録を書き込む。本実施の形態では、入場を禁止した無線ＩＣ乗車券Ｃに対しても入場記録を書き込むことに特徴がある。このとき、無線ＩＣ乗車券Ｃに書き込む入場記録は、当該自動改札機１を利用した履歴として、すなわち当該自動改札機１が設置された駅を利用したことの履歴（利用履歴）として当該無線ＩＣ乗車券Ｃに残る。通常、ゲート７を閉じたことで、当該乗客の通行は規制され、当該乗客が当駅で入場することはない。
【００１９】
しかし、乗車駅の自動改札機１で入場を禁止された乗客がゲート７が閉じる前に通過してしまう場合がある。この場合、当該乗客は、降車駅で自動改札機１を通行できずに駅係員による精算処理を受けることになる。この際、本実施の形態のように乗車駅の入場記録が当該無線ＩＣ乗車券Ｃに書き込まれていると、当該入場記録を用いて正しい乗車料金を確実に精算できる。
【００２０】
例えば、図２に示す従来のシステムでは、Ａ駅の自動改札機１の通行が禁止された乗客がゲート７による規制を振り切って入場してしまった場合、当該乗客はＢ駅で自動改札機を通行できなくなる。この場合、従来のシステムでも、乗客は、駅係員に無線ＩＣ乗車券Ｃを提示して乗車料金を精算することになる。しかし、このとき、従来のシステムでは、当該無線ＩＣ乗車券Ｃには入場記録が書き込まれていないため、種々の問題を生じる。
【００２１】
つまり、この場合、Ｂ駅の駅係員は、Ｂ駅を含む社局の最も遠い駅からの乗車料金を乗客に請求することになり、乗客との間で乗車料金についてのトラブルを生じる場合がある。また、乗客の申告に基づいて乗車料金を精算する場合には、乗客が嘘をついて安い乗車区間を申告すると、鉄道会社にとって不利益を被ることになる。
【００２２】
このため、本発明のシステムでは、図３に示すように、Ａ駅での入場の可否判断によらず、Ａ駅の自動改札機１で受け付けた全ての無線ＩＣ乗車券Ｃに対して入場記録（アクセス記録）を書き込むようにした。これにより、Ｂ駅での駅係員による精算時において、乗客が所持している無線ＩＣ乗車券Ｃに書き込まれた入場記録を元に正規の乗車料金を収受でき、トラブルを未然に防止でき、乗客、鉄道会社ともに不利益を被る心配がない。
【００２３】
また、本発明のシステムでは、全ての無線ＩＣ乗車券Ｃに対して入場記録を書き込むため、例えば、残高が不足していることを自身が把握している乗客などは、この入場記録を用いて自動精算機による自動精算が可能となる。この場合、Ｂ駅の駅係員による作業負担を低減できる。
【００２４】
なお、この発明は、上述した実施の形態そのままに限定されるものではなく、実施段階ではその要旨を逸脱しない範囲で構成要素を変形して具体化できる。また、上述した実施の形態に開示されている複数の構成要素の適宜な組み合わせにより種々の発明を形成できる。例えば、上述した実施の形態に示される全構成要素から幾つかの構成要素を削除しても良い。
【００２５】
例えば、上述した実施の形態では、無線ＩＣ乗車券Ｃを処理する場合について説明したが、これに限らず、磁気乗車券を処理する場合に本発明を適用しても良い。つまり、磁気乗車券がＡ駅の自動改札機１に投入された場合、磁気処理部４において当該磁気乗車券に対して入場記録に関する磁気データが書き込まれる。
【００２６】
また、入場記録の磁気データを書き込む代りに、印字部５において磁気乗車券の券面に入場記録（入場駅名など）を印字しても良い。
【図面の簡単な説明】
【００２７】
【図１】この発明の実施の形態に係る自動改札機の要部の構成を示すブロック図。
【図２】従来の改札システムを説明するための動作説明図。
【図３】図１の自動改札機を用いた本発明の改札システムを説明するための動作説明図。
【符号の説明】
【００２８】
１…自動改札機、２…アンテナ、３…リーダ・ライタ、４…磁気処理部、５…印字部、６…センサ、７…ゲート、１０…制御部、Ｃ…無線ＩＣ乗車券。
【図１】
2007241390.tif 000003
【図２】
2007241390.tif 000004
【図３】
2007241390.tif 000005